(57)【特許請求の範囲】
【請求項１】
フレームによって画定されていて前開口部によってアクセスされる作業空間を備える類のドラフトチャンバーのための前サッシ閉鎖部において、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、（ｉ）前記作業開口部の上半分か又は（ｉｉ）前記作業開口部の下半分のどちらかを選択的に覆うことができるように、前記作業開口部の中間点で前記ドラフトチャンバーの前記フレームへヒンジ式に取り付けられている、
前サッシ閉鎖部。
【請求項２】
前記透明なヒンジ式窓ガラスを前記ドラフトチャンバーの前記フレームへヒンジ式に取り付けるための２つのヒンジを更に備えている請求項１に記載の前サッシ閉鎖部。
【請求項３】
前記ヒンジは、前記透明なヒンジ式窓ガラスが前記ドラフトチャンバーの前記フレームから脱着可能になるように構成されている、請求項２に記載の前サッシ閉鎖部。
【請求項４】
前記ヒンジの各々は、前記透明なヒンジ式窓ガラスへ取り付けられているばね付勢式雄型フィンガと、前記ドラフトチャンバーの前記フレームに形成されている雌型陥凹と、を備えている、請求項３に記載の前サッシ閉鎖部。
【請求項５】
前記ヒンジの各々は、前記透明なヒンジ式窓ガラスへ取り付けられている雄型フィンガと、前記ドラフトチャンバーの前記フレームに形成されている逆Ｌ字形状の雌型陥凹と、を備えている、請求項２に記載の前サッシ閉鎖部。
【請求項６】
前記雄型フィンガを受け入れるためのスロットを各々備える２つの扉吊りを更に備えている請求項５に記載の前サッシ閉鎖部。
【請求項７】
前記ドラフトチャンバーの前記フレームに対する前記透明なヒンジ式窓ガラスの運動を防止するための少なくとも１つのラッチを更に備えている請求項１に記載の前サッシ閉鎖部。
【請求項８】
前記少なくとも１つのラッチは、前記透明なヒンジ式窓ガラスへ滑動可能に取り付けられている凹部材と、前記ドラフトチャンバーの前記フレームから外へ突き出ている雄型突起と、を備えている、請求項７に記載の前サッシ閉鎖部。
【請求項９】
前記少なくとも１つのラッチは、ラッチ本体を選択的に前記透明なヒンジ式窓ガラスの経路から後退させたり又は前記透明なヒンジ式窓ガラスの前記経路へ前進させたりすることができるように当該ラッチ本体を回転可能に支持している、前記フレームへ取り付けられた枢軸を備えている、請求項７に記載の前サッシ閉鎖部。
【請求項１０】
ドラフトチャンバーにおいて、
フレームによって画定されていて前開口部によってアクセスされる作業空間と、
前記フレームへ取り付けられている前サッシ閉鎖部であって、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、（ｉ）前記作業開口部の上半分か又は（ｉｉ）前記作業開口部の下半分のどちらかを選択的に覆うことができるように、前記作業開口部の中間点で前記ドラフトチャンバーの前記フレームへヒンジ式に取り付けられている、
前サッシ閉鎖部と、
を備えているドラフトチャンバー。
【請求項１１】
前記透明なヒンジ式窓ガラスを前記ドラフトチャンバーの前記フレームへヒンジ式に取り付けるための２つのヒンジを更に備えている請求項１０に記載のドラフトチャンバー。
【請求項１２】
前記ヒンジは、前記透明なヒンジ式窓ガラスが前記ドラフトチャンバーの前記フレームから脱着可能になるように構成されている、請求項１１に記載のドラフトチャンバー。
【請求項１３】
前記ヒンジの各々は、前記透明なヒンジ式窓ガラスへ取り付けられているばね付勢式雄型フィンガと、前記ドラフトチャンバーの前記フレームに形成されている雌型陥凹と、を備えている、請求項１２に記載のドラフトチャンバー。
【請求項１４】
前記ヒンジの各々は、前記透明なヒンジ式窓ガラスへ取り付けられている雄型フィンガと、前記ドラフトチャンバーの前記フレームに形成されている逆Ｌ字形状の雌型陥凹と、を備えている、請求項１１に記載のドラフトチャンバー。
【請求項１５】
前記雄型フィンガを受け入れるためのスロットを各々備える２つの扉吊りを更に備えている請求項１４に記載のドラフトチャンバー。
【請求項１６】
前記ドラフトチャンバーの前記フレームに対する前記透明なヒンジ式窓ガラスの運動を防止するための少なくとも１つのラッチを更に備えている請求項１０に記載のドラフトチャンバー。
【請求項１７】
前記ドラフトチャンバーはダクト無しである、請求項１０に記載のドラフトチャンバー。
【請求項１８】
有害物質を取り扱うための方法において、
ドラフトチャンバーを提供する段階であって、当該ドラフトチャンバーは、
フレームによって画定されていて前開口部によってアクセスされる作業空間と、
前記フレームへ取り付けられている前サッシ閉鎖部であって、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、（ｉ）前記作業開口部の上半分か又は（ｉｉ）前記作業開口部の下半分のどちらかを選択的に覆うことができるように、前記作業開口部の中間点で当該ドラフトチャンバーの当該フレームへヒンジ式に取り付けられている、
前サッシ閉鎖部と、
を備えている、ドラフトチャンバーを提供する段階と、
前記ドラフトチャンバーの前記作業空間内に有害物質を位置付ける段階と、
を備えている方法。
【発明の詳細な説明】
【技術分野】
【０００１】
（係属中の先行特許出願への言及）
この特許出願はフィパックリサーチアンドディベロップメントカンパニー、フランソア・ハウヴィルによって２０１３年８月２２日に出願されている係属中の先行する米国仮特許出願第６１／８６８，６６０号「改善された前サッシ閉鎖部を有するダクト無し又はダクト付きドラフトチャンバー」（弁理士整理番号第ＦＩＰＡＫ−１５ＰＲＯＶ）の恩典を主張し、これにより同特許出願をここに参考文献として援用する。
【０００２】
この発明は、概括的には空気濾過システムに関し、より厳密にはドラフトチャンバーにおいて、付近の職員を危険に曝すことなく危険物質を密閉作業空間内で安全に取り扱えるようにするために周囲空気から絶縁（又は実質的に絶縁）されている密閉作業空間を提供するためのドラフトチャンバーに関する。１つの特に好適な形態では、本発明は、ダクト無しドフトチャンバーにおいて、密閉作業空間の空気をダクト無しドラフトチャンバーが収容されている部屋の周囲空気へ抜く前に当該密閉作業空間の空気から有害物質をパージするように構成されているダクト無しドラフトチャンバーに関する。
【背景技術】
【０００３】
空気濾過システムは、望まれない物質を空気からパージするべく多くの状況で使用される。その様な空気濾過システムは、概して、それらの使用及び機能に依って様々な形態が存在している。
【０００４】
空気濾過システムの１つの型式がドラフトチャンバーである。ドラフトチャンバーは、付近の職員を危険に曝すことなく危険物質を密閉作業空間内で安全に取り扱えるようにするために周囲空気から絶縁（又は実質的に絶縁）されている密閉作業空間を提供する。ドラフトチャンバーは概してダクト付きか又はダクト無しのどちらかである。ダクト付きドラフトチャンバーは、密閉作業空間の空気を大気へ抜く前に当該密閉作業空間の空気から有害物質をパージするように構成されている。ダクト無しドラフトチャンバーは密閉作業空間の空気をダクト無しドラフトチャンバーが収容されている部屋の周囲空気へ抜く前に当該密閉作業空間の空気から有害物質をパージするように構成されている。
【０００５】
本発明は、ダクト付きドラフトチャンバーとダクト無しドラフトチャンバーの両方に適用可能である。１つの好適な形態では、本発明はダクト無しドラフトチャンバーに関する。このため、また限定ではなく例示を目的として、本発明をこれよりダクト無しドラフトチャンバーの観点から論じてゆく。
【０００６】
より具体的に、図１及び図２を参照すると、典型的な先行技術によるダクト無しドラフトチャンバー５が示されている。ダクト無しドラフトチャンバー５は、全体として、フレーム１２によって画定されていて前サッシ閉鎖部１５によってアクセスされる密閉作業空間１０を備えており、前サッシ閉鎖部１５は密閉作業空間が「封止されている」ときは作業台２０に係合している。空気入口２５が周囲空気を密閉作業空間１０の中へ入れるようにしており、空気抜き３０が密閉作業空間１０から空気を除去する。空気抜き３０からの空気は、ダクト無しドラフトチャンバー５を収容する部屋（例えば実験室）の周囲空気へ空気出口３７経由で戻される前にフィルタ３５を通される。フィルタ３５は空気から有害物質を除去し、それにより空気が周囲空気へ戻される前に当該空気を安全なものにする。概して空気抜き３０と空気出口３７の間には、密閉作業空間１０を周囲空気に対して陰圧差に維持し、それにより密閉作業空間１０内の何れの空気も周囲空気へ戻される前にフィルタ３５を通過することを確約するために、出口ファン４０が設けられている。概して、フィルタ３５（又はその下流）には、作業空間空気が周囲空気へ戻される前にフィルタが作業空間空気から何れの有害物質もパージしていることを確約するために、センサ４５が設けられている。出口ファン４０及びセンサ４５は、概して、フィルタ３５、出口ファン４０、及び／又はセンサ４５が失陥するようなことがあれば職員に注意喚起することのできる警報５０へ接続されている。
【０００７】
ダクト無しドラフトチャンバーは、それらが技術的に効力のあること、取得費用及び実施費用が低いこと、設置が迅速であること、及び実質的にエネルギーが節約できること、に因り人気が出てきた。より具体的には、適正なフィルタが選択されていればダクト無しドラフトチャンバーは作業空間の空気から有害物質を除去する場合に極めて有効となり得る。また、ダクト無しドラフトチャンバーは、それらの単純設計及びそれらのダクト無し性質のおかげで、ダクト付きドラフトチャンバーに通常付帯する広範な技術的工夫努力及び設置努力を要しないため、製造するのが比較的安価であり、実施するのが比較的安価である。また、ダクト無しドラフトチャンバーは木枠からの取り出し及び使用前の初期セットアップとテスト以上のことを殆ど必要としないため、ダクト無しドラフトチャンバーの設置は速くて簡単である。ダクト無しドラフトチャンバーは、更に、濾過された空気を外部大気へ抜くのではなしに濾過された空気を部屋の周囲空気へ戻すので極めてエネルギー効率がよい。結果として、冬の間は部屋の中に既に温められた空気が維持され、夏の間は部屋の中に既に冷やされた空気が維持されることになり、それにより部屋内の空気を温度調整するのに要するエネルギーが最小限に抑えられる。
【０００８】
ダクト無しドラフトチャンバーに関しては、作業空間空気を部屋の周囲空気へ戻せるようになる前に全ての有害物質が作業空間空気から除去されることを確約するために、密閉作業空間１０から出る空気流れを管理することが重要である。理想的には、これは密閉作業空間空気全てにフィルタ３５を通過させた末にやっと当該空気を部屋の周囲空気へ戻せるようになることを意味する。但し、これは、実践上では、職員は典型的に密閉作業空間１０へ前サッシ閉鎖部１５を通して繰り返し積極的にアクセスしなくてはならず故に密閉作業空間からの一部の空気はフィルタ３５を最初に通過すること無しに開放されている前サッシ閉鎖部１５を介して部屋の空気の中へ通じてしまうことから確約するのが難しい。これが起こるのを制限するには、先に論じられている様に、出口ファン４０をセットして密閉作業空間１０を周囲空気に対して陰圧差に保たせ、それにより開放されている前サッシ閉鎖部１５から出る意図しない空気流れが最小限に抑えられるようにする。加えて、前サッシ閉鎖部１５は、典型的には、提供される密閉作業空間１０内への開口部の寸法が最小化されるように配列されている。
【０００９】
より具体的に、これより図３及び図４を参照すると、前サッシ閉鎖部１５は複数の相互接続されている滑動式窓ガラス５５を備えているのが典型的である。密閉作業空間１０が職員によってアクセスされようとするとき、最も下側の窓ガラス５５が上方に持ち上げられると、相互接続されている滑動式窓ガラス５５がカスケード式に重なり合い、それにより漸進的により多くの密閉作業空間を職員へ露出させる。而して、従来型前サッシ閉鎖部１５は、「下から上方式に」上向きに広がってゆく、密閉作業空間１０内への可変寸法開口部を提供するものである。
【００１０】
図１−図４に示されている類の従来型前サッシ閉鎖部１５は高効率高信頼度であることが実証されてはいるが、或る一定の状況では最適には及ばない解を提供することもあり得る。より具体的には、以上に指摘されている様に、従来型前サッシ閉鎖部１５は「下から上方式に」開く。而して、操作しようとしている物体（例えば試験管やビーカーなど）が作業台２０上に直接座している及び比較的背が低いという状況では、従来型前サッシ閉鎖部１５の「下から上方式」閉鎖部は、操作しようとする物体への適切なアクセスを職員に提供するためには密閉作業空間１０の比較的狭い領域を露出する必要しかない。しかしながら、操作しようとする物体が作業台２０の上方高く（例えばスタンド又はポール）に座している及び／又は比較的背が高いという状況では、従来型前サッシ閉鎖部１５の「下から上方式」閉鎖部は、操作しようとする物体への適切なアクセスを職員に提供するためには密閉作業空間１０の比較的広い領域を露出することが必要になる。また一方、これは有害な物質が密閉作業空間１０から開放されている前サッシ閉鎖部１５を通って流出する可能性を高めることから最適には及ばない解であることが認識されるであろう。
【００１１】
上述のカスケード式滑動窓ガラス５５を備える従来型前サッシ閉鎖部１５を使用しているダクト付きドラフトチャンバーに関しても同じ問題が持ち上がることは認識されるはずである。
【００１２】
而して、上記問題の解決を図るダクト無しドラフトチャンバー及び／又はダクト付きドラフトチャンバーのための改善された前サッシ閉鎖部の必要性がある。
【先行技術文献】
【特許文献】
【００１３】
【特許文献１】米国仮特許出願第６１／８６８，６６０号
【発明の概要】
【発明が解決しようとする課題】
【００１４】
本発明は、上記問題の解決を図るダクト無しドラフトチャンバー及び／又はダクト付きドラフトチャンバーのための改善された前サッシ閉鎖部の提供及び使用を備える。
【課題を解決するための手段】
【００１５】
より具体的には、本発明によれば、透明な固定窓ガラスと透明なヒンジ式窓ガラスを備えている改善された前サッシ閉鎖部が提供されている。透明な固定窓ガラスは、ダクト無しドラフトチャンバーの前開口部を部分的に覆って、それにより前開口部の寸法をより狭い作業開口部へ縮小させるように、ダクト無しドラフトチャンバーのフレームへ堅く取り付けられている。透明なヒンジ式窓ガラスは、作業開口部の一部分を選択的に覆うように、即ち、透明なヒンジ式窓ガラスが選択的に（ｉ）作業開口部の上部分か又は（ｉｉ）作業開口部の下部分のどちらかを覆うことができるように、作業開口部の中間でダクト無しドラフトチャンバーのフレームへヒンジ式に取り付けられている。上記の結果として、操作しようとする物体がダクト無しドラフトチャンバーの作業台上に直接座している及び比較的背が低いという状況では、透明なヒンジ式窓ガラスはその「上」位置にセットされ、それにより操作しようとする物体への適切なアクセスを職員に提供する。また一方、操作しようとする物体がダクト無しドラフトチャンバーの作業台の上方高くに座しているという状況では、操作しようとする物体への適切なアクセスを職員に提供するようにヒンジ式窓ガラスはその「下」位置にセットされる。
【００１６】
本発明の１つの好適な形態では、フレームによって画定されていて前開口部によってアクセスされる作業空間を備える類のドラフトチャンバーのための前サッシ閉鎖部において、
透明な固定窓ガラス及び透明なヒンジ式窓ガラス、
を備えており、
当該透明な固定窓ガラスは、ドラフトチャンバーの前開口部を部分的に覆って、それによりドラフトチャンバーの前開口部の寸法を作業開口部へ縮小させるように、ドラフトチャンバーのフレームへ堅く取り付けられており、
当該透明なヒンジ式窓ガラスは、作業開口部の一部分を選択的に覆うことができるように、作業開口部の中間でドラフトチャンバーのフレームへヒンジ式に取り付けられている、
前サッシ閉鎖部が提供されている。
【００１７】
本発明の別の好適な形態では、ドラフトチャンバーにおいて、
フレームによって画定されていて前開口部によってアクセスされる作業空間と、
当該フレームへ取り付けられている前サッシ閉鎖部であって、
透明な固定窓ガラス及び透明なヒンジ式窓ガラス、
を備えており、
当該透明な固定窓ガラスは、当該ドラフトチャンバーの当該前開口部を部分的に覆って、それにより当該ドラフトチャンバーの当該前開口部の寸法を作業開口部へ縮小させるように、当該ドラフトチャンバーの当該フレームへ堅く取り付けられており、
当該透明なヒンジ式窓ガラスは、当該作業開口部の一部分を選択的に覆うことができるように、当該作業開口部の中間で当該ドラフトチャンバーの当該フレームへヒンジ式に取り付けられている、
前サッシ閉鎖部と、
を備えているドラフトチャンバーが提供されている。
【００１８】
本発明の別の好適な形態では、有害物質を取り扱うための方法において、
ドラフトチャンバーを提供する段階であって、当該ドラフトチャンバーは、
フレームによって画定されていて前開口部によってアクセスされる作業空間と、
当該フレームへ取り付けられている前サッシ閉鎖部であって、
透明な固定窓ガラス及び透明なヒンジ式窓ガラス、
を備えており、
当該透明な固定窓ガラスは、当該ドラフトチャンバーの当該前開口部を部分的に覆って、それにより当該ドラフトチャンバーの当該前開口部の寸法を作業開口部へ縮小させるように、当該ドラフトチャンバーの当該フレームへ堅く取り付けられており、
当該透明なヒンジ式窓ガラスは、当該作業開口部の一部分を選択的に覆うことができるように、当該作業開口部の中間で当該ドラフトチャンバーの当該フレームへヒンジ式に取り付けられている、
前サッシ閉鎖部と、
を備えている、ドラフトチャンバーを提供する段階と、
当該ドラフトチャンバーの当該作業空間内に有害物質を位置付ける段階と、
を備えている方法が提供されている。
【００１９】
本発明のこれら及び他の目的及び特性は、次に続く本発明の好適な実施形態の詳細な説明を添付図面と併せて考察することによってより十分に開示され又は明らかになってゆくものであり、図面中、同様の符号は同様の部分を指す。
【図面の簡単な説明】
【００２０】
【図１】先行技術のダクト無しドラフトチャンバーを示す概略図である。
【図２】先行技術のダクト無しドラフトチャンバーを示す概略図である。
【図３】先行技術のダクト無しドラフトチャンバーを示す概略図である。
【図４】先行技術のダクト無しドラフトチャンバーを示す概略図である。
【図５】本発明により形成された新規なダクト無しドラフトチャンバーを示す概略図である。
【図６】本発明により形成された新規なダクト無しドラフトチャンバーを示す概略図である。
【図７】本発明により形成された新規なダクト無しドラフトチャンバーを示す概略図である。
【図８】本発明により形成された新規なダクト無しドラフトチャンバーを示す概略図である。
【図９】本発明により形成された新規なダクト無しドラフトチャンバーを示す概略図である。
【図１０】本発明により形成された新規なダクト無しドラフトチャンバーを示す概略図である。
【図１１】図５−図１０に示されている新規なダクト無しドラフトチャンバーの様々な構成の詳細事項を示す概略図である。
【図１２】図５−図１０に示されている新規なダクト無しドラフトチャンバーの様々な構成の詳細事項を示す概略図である。
【図１３】図５−図１０に示されている新規なダクト無しドラフトチャンバーの様々な構成の詳細事項を示す概略図である。
【図１４】図５−図１０に示されている新規なダクト無しドラフトチャンバーの様々な構成の詳細事項を示す概略図である。
【図１５】図５−図１０に示されている新規なダクト無しドラフトチャンバーの様々な構成の詳細事項を示す概略図である。
【図１６】図５−図１０に示されている新規なダクト無しドラフトチャンバーの様々な構成の詳細事項を示す概略図である。
【図１７】本発明により形成された別の新規なダクト無しドラフトチャンバーを示す概略図である。
【図１８】本発明により形成された別の新規なダクト無しドラフトチャンバーを示す概略図である。
【図１９】本発明により形成された別の新規なダクト無しドラフトチャンバーを示す概略図である。
【図２０】図１７−図１９に示されている新規なダクト無しドラフトチャンバーの様々な構成の詳細事項を示す概略図である。
【図２１】図１７−図１９に示されている新規なダクト無しドラフトチャンバーの様々な構成の詳細事項を示す概略図である。
【図２２】図１７−図１９に示されている新規なダクト無しドラフトチャンバーの様々な構成の詳細事項を示す概略図である。
【図２３】図１７−図１９に示されている新規なダクト無しドラフトチャンバーの様々な構成の詳細事項を示す概略図である。
【図２４】図１７−図１９に示されている新規なダクト無しドラフトチャンバーの様々な構成の詳細事項を示す概略図である。
【図２５】本発明により形成されたダクト無しドラフトチャンバーの別の形態を示す概略図である。
【発明を実施するための形態】
【００２１】
本発明は、上記問題の解決を図るダクト無しドラフトチャンバー及び／又はダクト付きドラフトチャンバーのための改善された前サッシ閉鎖部の提供及び使用を備えている。
より具体的に、これより図５−図１０を参照すると、本発明の１つの好適な形態では、新規な前サッシ閉鎖部１００を有するダクト無しドラフトチャンバー５が提供されている。新規な前サッシ閉鎖部１００は、透明な固定窓ガラス１０５と透明なヒンジ式窓ガラス１１０を備えている。
【００２２】
透明な固定窓ガラス１０５は、ダクト無しドラフトチャンバー５の前開口部１１５を部分的に覆うようにダクト無しドラフトチャンバーのフレーム１２へ堅く取り付けられている。限定ではなく一例として、透明な固定窓ガラス１０５は、前開口部１１５の面積の大凡２５％を覆って、それにより前開口部１１５の寸法を作業開口部１２０へ縮小させるように、寸法設定されていてもよい。本発明の１つの好適な形態では、透明な固定窓ガラス１０５は前開口部の上端に配置されていて、作業開口部１２０が前開口部１１５の下端に（即ち、図５−図１０に示されている方式では作業台２０に隣接して）配置されるようにしている。
【００２３】
透明なヒンジ式窓ガラス１１０は、作業開口部１２０の一部分を選択的に覆うことができるように作業開口部１２０の中間でダクト無しドラフトチャンバー５のフレームへヒンジ式に取り付けられている。より具体的には、本発明の１つの好適な形態では、透明なヒンジ式窓ガラス１１０は、作業開口部１２０の面積の５０％となる面積を有するように寸法設定されていて、透明なヒンジ式窓ガラス１１０が選択的に（ｉ）作業開口部１２０の上半分（図５）か又は（ｉｉ）作業開口部１２０の下半分（図６）のどちらかを覆うことができるように、作業開口部１２０の中間点でダクト無しドラフトチャンバー５のフレーム１２へヒンジ式に取り付けられている。
【００２４】
本発明の１つの好適な形態では、透明なヒンジ式窓ガラス１１０をダクト無しドラフトチャンバー５のフレーム１２へヒンジ式に取り付けるのに２つのヒンジ１２５が使用されている。加えて、透明なヒンジ式窓ガラス１１０をその「上」位置に（即ち、透明なヒンジ式窓ガラス１１０が図５に示されている方式で作業開口部１２０の上半分を覆うように）又はその「下」位置に（即ち、透明なヒンジ式窓ガラス１１０が図６に示されている方式で作業開口部１２０の下半分を覆うように）ロックさせられるように２つのラッチ１３０が設けられている。
【００２５】
上記構築の結果として、操作しようとしている物体（例えば試験管やビーカーなど）が作業台２０上に直接座している及び比較的背が低いという状況では、操作しようとする物体への適切なアクセスを職員に提供するように、透明なヒンジ式窓ガラス１１０はその「上」位置に（即ち、透明なヒンジ式窓ガラス１１０が図５に示されている方式で作業開口部１２０の上半分を覆い作業開口部１２０の下半分を露出するように）セットされる。また一方、操作しようとする物体が作業台２０の上方高く（例えばスタンド又はポール）に座している及び／又は比較的背が高いという状況では、操作しようとする物体への適切なアクセスを職員に提供するように、ヒンジ式窓ガラス１１０はその「下」位置に（即ち、透明なヒンジ式窓ガラス１１０が図６に示されている方式で作業開口部１２０の下半分を覆い作業開口部１２０の上半分を露出するように）セットされる。
【００２６】
本発明の１つの好適な形態では、ヒンジ１２５は解放可能であるように構成されていて、それにより、例えば密閉作業空間１０への広いアクセスを提供するため（例えば装置を導入する又は取り出す場合）や透明なヒンジ式窓ガラス１１０の修理又は交換などのために職員が透明なヒンジ式窓ガラス１１０をダクト無しドラフトチャンバー５から取り外せるようにしている。これより図１１−図１５を参照すると、限定ではなく一例として、本発明の１つの好適な形態では、ヒンジ１２５の各々は透明なヒンジ式窓ガラス１１０へ取り付けられているばね付勢式雄型フィンガ１３５と、ダクト無しドラフトチャンバー５のフレーム１２に形成されている雌型陥凹１４０と、を備えていて、ばね付勢式雄型フィンガ１３５を内側に動かして透明なヒンジ式窓ガラス１１０をフレーム１２から解放させられるようにボタン１４５が設けられていてもよい。より具体的には、本発明のこの形態では、ヒンジ１２５の各々は、透明なヒンジ式窓ガラス１１０へ取り付けられているハウジング１４６を備えていてもよい。ばね１４７が雄型フィンガ１３５を透明なヒンジ式窓ガラス１１０から外側へ雌型陥凹１４０に向かって付勢するので、雄型フィンガ１３５は雌型陥凹１４０の中へ伸張して、それにより透明なヒンジ式窓ガラス１１０をフレーム１２へヒンジ式に取り付けることができる。ボタン１４５はばね１４７の力に逆らって強制的に雄型フィンガ１３５を内側に入らせ、それにより雄型フィンガ１３５を雌型陥凹１４０から離し、それにより透明なヒンジ式窓ガラス１１０をフレーム１２から解放させられるようにする。本発明の１つの好適な形態では、雌型陥凹１４０はフレーム１２へ取り付けられているハウジング１４８に形成されている。
【００２７】
これより図１６を参照して、所望される場合、ラッチ１３０は透明なヒンジ式窓ガラス１１０へ滑動可能に取り付けられている凹部材１４９と、フレーム１２から外へ突き出している雄型突起１５０と、を備えていてもよい。本発明によれば、凹部材１４９は、透明なヒンジ式窓ガラス１１０から外側へ動いてフレーム１２の雄型突起１５０を包み込み、それにより透明なヒンジ式窓ガラス１１０をダクト無しドラフトチャンバー５上でその場にラッチ掛けすることができる。相応に、凹部材１４９は透明なヒンジ式窓ガラス１１０に対して内側に動いてフレーム１２の雄型突起１５０から離れ、それにより透明なヒンジ式窓ガラス１１０をフレーム１２からラッチ解除することができる。
【００２８】
次に図１７−図２４を参照すると、本発明の別の好適な形態が示されている。より具体的には、本発明のこの形態では、ダクト無しドラフトチャンバー５は代わりのヒンジ１２５Ａ（図１７−図２０）、代わりのラッチ１３０Ａ（図２１及び図２２）、及び扉吊り１６０（図２３及び図２４）を備えている。図１７−図２０に見られる様に、ヒンジ１２５Ａの各々は、透明なヒンジ式窓ガラス１１０へ取り付けられている固定雄型フィンガ１６５と、ダクト無しドラフトチャンバー５のフレーム１２側に形成されている「逆Ｌ字」形状の雌型陥凹１７０と、を備えている。本発明の１つの好適な形態では、「逆Ｌ字」形状の雌型陥凹１７０はフレーム１２へ取り付けられているブラケット１７５によって形成されていて、当該ブラケット１７５は横スロット１８０と縦スロット１８５を備えている。この実施形態では、透明なヒンジ式窓ガラス１１０は、その固定雄型フィンガ１６５を「逆Ｌ字」形状の雌型陥凹１７０の横スロット１８０に沿って挿入し、次いで固定雄型フィンガ１７５を重力の影響下に縦スロット１８５の下端の中へ定着させることによって、フレーム１２へ「吊る」される。固定雄型フィンガ１７５が縦スロット１８５の下端に配置されたら透明なヒンジ式窓ガラス１１０はヒンジ１２５Ａによって回転可能に支持されることになる、ということが認識されるであろう。
【００２９】
更に認識しておきたいこととして、透明なヒンジ式窓ガラス１１０がその下位置（即ち、図１７に示されている位置）に配置される場合、重力が透明なヒンジ式窓ガラス１１０をその場に保持するので、ラッチ１３０Ａ（図２１及び図２２）を使用して透明なヒンジ式窓ガラス１１０を当該位置にロックすることができる。これに関し、各ラッチ１３０Ａはラッチ本体１９５をフレーム１２に対して回転可能に支持する枢軸１９０を備えているので、ラッチ本体１９５を選択的に透明なヒンジ式窓ガラス１１０の経路から後退させる（図２１）なり又は透明なヒンジ式窓ガラス１１０の経路へ進入させる（図２２）なりして、それにより透明なヒンジ式窓ガラス１１０のラッチを解除するなり又はラッチを掛けるなりすればよい、ということが認識されるであろう。透明なヒンジ式窓ガラス１１０をその上位置（即ち、図１９に示されている位置）に位置決めしようとするときは、ラッチ１３０Ａをロック解除し（図２１）、透明なヒンジ式窓ガラス１１０を上向きにスウィングさせ（図１８及び図１９）、次に、透明なヒンジ式窓ガラス１１０がその上位置（即ち、図１９に示されている位置）に位置決めされた後にラッチ１３０Ａをそれらのロック位置（図２２）へ動かす。この行為は、透明なヒンジ式窓ガラス１１０が意図せずしてその下位置（即ち、図１７に示されている位置）へ落ち戻らないように引き留める。
【００３０】
透明なヒンジ式窓ガラス１１０の位置にかかわらず、重力が固定雄型フィンガ１７５を縦スロット１８５の下端に保持していることに留意されたい。
一部の状況では、作業空間１０へアクセスさせる広くなった開口部を有するのが望ましいとされることもある（例えば、装置を導入する又は取り出す場合など）。この状況では、透明なヒンジ式窓ガラス１１０を上向きに持ち上げて、その固定雄型フィンガ１６５を縦スロット１８５に沿って上方に次いで横スロット１８０に沿って前方に動かせば、固定雄型フィンガ１６５が「逆Ｌ字」形状の雌型陥凹１７０から引き出され、それにより透明なヒンジ式窓ガラス１１０をフレーム１２から自由にすることによって、透明なヒンジ式窓ガラス１１０をフレーム１２から取り外すことができる。透明なヒンジ式窓ガラス１１０は、その後、透明なヒンジ式窓ガラス１１０の固定雄型フィンガ１６５を扉吊り１６０のスロット２００の中へ滑り込ませることによって扉吊り１６０へ吊るすことができる（図２３及び図２４）。
【００３１】
これより図２３を参照して、本発明の１つの好適な形態では、透明なヒンジ式窓ガラス１１０は、透明なヒンジ式窓ガラス１１０の縁２１５（即ち、作業台２０に係合する縁）に隣接する半円形開口部２０５及び円形開口部２１０を備えていてもよい。半円形開口部２０５及び円形開口部２１０は、職員の親指及び手指を入れられるように寸法設定され位置決めされていて、それにより職員が透明なヒンジ式窓ガラス１１０をそのヒンジ１２５Ａ（又は１２５）を中心に動かし、それにより透明なヒンジ式窓ガラス１１０をその「上」位置と「下」位置の間で動かせるようにしている。
【００３２】
次に図２５を参照して、本発明の別の形態では、透明な固定窓ガラス１０５を前開口部１１５の下端に配置して、作業開口部１２０が前開口部１１５の上端に配置されるようにしている。この構成を用いると、透明なヒンジ式窓ガラス１１０は、作業開口部１２０の一部分を選択的に覆うように作業開口部１２０の中間でダクト無しドラフトチャンバー５のフレーム１２へ取り付けられる。
【００３３】
好適な実施形態の修正形
本発明の性質を解説するためにここに説明し示してきた諸要素の詳細事項、作動、段階、及び配列における多くの追加の変更が当業者によって本発明の原理及び範囲内になお留まりながらになされる可能性があるものと理解されたい。
（項目１）
フレームによって画定されていて前開口部によってアクセスされる作業空間を備える類のドラフトチャンバーのための前サッシ閉鎖部において、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、前記作業開口部の一部分を選択的に覆うことができるように、前記作業開口部の中間で前記ドラフトチャンバーの前記フレームへヒンジ式に取り付けられている、
前サッシ閉鎖部。
（項目２）
前記透明なヒンジ式窓ガラスは、（ｉ）前記作業開口部の上半分か又は（ｉｉ）前記作業開口部の下半分のどちらかを選択的に覆うことができるように、前記作業開口部の中間点で前記ドラフトチャンバーの前記フレームへヒンジ式に取り付けられている、項目１に記載の前サッシ閉鎖部。
（項目３）
前記透明なヒンジ式窓ガラスを前記ドラフトチャンバーの前記フレームへヒンジ式に取り付けるための２つのヒンジを更に備えている項目２に記載の前サッシ閉鎖部。
（項目４）
前記ヒンジは、前記透明なヒンジ式窓ガラスが前記ドラフトチャンバーの前記フレームから脱着可能になるように構成されている、項目３に記載の前サッシ閉鎖部。
（項目５）
前記ヒンジの各々は、前記透明なヒンジ式窓ガラスへ取り付けられているばね付勢式雄型フィンガと、前記ドラフトチャンバーの前記フレームに形成されている雌型陥凹と、を備えている、項目４に記載の前サッシ閉鎖部。
（項目６）
前記ヒンジの各々は、前記透明なヒンジ式窓ガラスへ取り付けられている雄型フィンガと、前記ドラフトチャンバーの前記フレームに形成されている逆Ｌ字形状の雌型陥凹と、を備えている、項目３に記載の前サッシ閉鎖部。
（項目７）
前記雄型フィンガを受け入れるためのスロットを各々備える２つの扉吊りを更に備えている項目６に記載の前サッシ閉鎖部。
（項目８）
前記ドラフトチャンバーの前記フレームに対する前記透明なヒンジ式窓ガラスの運動を防止するための少なくとも１つのラッチを更に備えている項目１に記載の前サッシ閉鎖部。
（項目９）
前記少なくとも１つのラッチは、前記透明なヒンジ面へ滑動可能に取り付けられている凹部材と、前記ドラフトチャンバーの前記フレームから外へ突き出ている雄型突起と、を備えている、項目８に記載の前サッシ閉鎖部。
（項目１０）
前記少なくとも１つのラッチは、ラッチ本体を選択的に前記透明なヒンジ式ガラス窓の経路から後退させたり又は前記透明なヒンジ式窓ガラスの前記経路へ前進させたりすることができるように当該ラッチ本体を回転可能に支持している、前記フレームへ取り付けられた枢軸を備えている、項目８に記載の前サッシ閉鎖部。
（項目１１）
ドラフトチャンバーにおいて、
フレームによって画定されていて前開口部によってアクセスされる作業空間と、
前記フレームへ取り付けられている前サッシ閉鎖部であって、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、前記作業開口部の一部分を選択的に覆うことができるように、前記作業開口部の中間で前記ドラフトチャンバーの前記フレームへヒンジ式に取り付けられている、
前サッシ閉鎖部と、
を備えているドラフトチャンバー。
（項目１２）
前記透明なヒンジ式窓ガラスは、（ｉ）前記作業開口部の上半分か又は（ｉｉ）前記作業開口部の下半分のどちらかを選択的に覆うことができるように、前記作業開口部の中間点で前記ドラフトチャンバーの前記フレームへヒンジ式に取り付けられている、項目１１に記載のドラフトチャンバー。
（項目１３）
前記透明なヒンジ式窓ガラスを前記ドラフトチャンバーの前記フレームへヒンジ式に取り付けるための２つのヒンジを更に備えている項目１２に記載のドラフトチャンバー。
（項目１４）
前記ヒンジは、前記透明なヒンジ式窓ガラスが前記ドラフトチャンバーの前記フレームから脱着可能になるように構成されている、項目１３に記載のドラフトチャンバー。
（項目１５）
前記ヒンジの各々は、前記透明なヒンジ式窓ガラスへ取り付けられているばね付勢式雄型フィンガと、前記ドラフトチャンバーの前記フレームに形成されている雌型陥凹と、を備えている、項目１４に記載のドラフトチャンバー。
（項目１６）
前記ヒンジの各々は、前記透明なヒンジ式窓ガラスへ取り付けられている雄型フィンガと、前記ドラフトチャンバーの前記フレームに形成されている逆Ｌ字形状の雌型陥凹と、を備えている、項目１３に記載のドラフトチャンバー。
（項目１７）
前記雄型フィンガを受け入れるためのスロットを各々備える２つの扉吊りを更に備えている項目１６に記載のドラフトチャンバー。
（項目１８）
前記ドラフトチャンバーの前記フレームに対する前記透明なヒンジ式窓ガラスの運動を防止するための少なくとも１つのラッチを更に備えている項目１１に記載のドラフトチャンバー。
（項目１９）
前記ドラフトチャンバーはダクト無しである、項目１１に記載のドラフトチャンバー。
（項目２０）
有害物質を取り扱うための方法において、
ドラフトチャンバーを提供する段階であって、当該ドラフトチャンバーは、
フレームによって画定されていて前開口部によってアクセスされる作業空間と、
前記フレームへ取り付けられている前サッシ閉鎖部であって、
透明な固定窓ガラス及び透明なヒンジ式窓ガラス、
を備えており、
前記透明な固定窓ガラスは、前記ドラフトチャンバーの前記前開口部を部分的に覆って、それにより前記ドラフトチャンバーの前記前開口部の寸法を作業開口部へ縮小させるように、前記ドラフトチャンバーの前記フレームへ堅く取り付けられており、
前記透明なヒンジ式窓ガラスは、前記作業開口部の一部分を選択的に覆うことができるように、前記作業開口部の中間で当該ドラフトチャンバーの当該フレームへヒンジ式に取り付けられている、
前サッシ閉鎖部と、
を備えている、ドラフトチャンバーを提供する段階と、
前記ドラフトチャンバーの前記作業空間内に有害物質を位置付ける段階と、
を備えている方法。
【符号の説明】
【００３４】
５  ダクト無しドラフトチャンバー（符号５〜５５は先行技術）
１０  密閉作業空間
１２  フレーム
１５  前サッシ閉鎖部
２０  作業台
２５  空気入口
３０  空気抜き
３５  フィルタ
３７  空気出口
４０  出口ファン
４５  センサ
５０  警報
５５  滑動式窓ガラス
１００  新規な前サッシ閉鎖部
１０５  透明な固定窓ガラス
１１０  透明なヒンジ式ガラス窓
１１５  前開口部
１２０  作業開口部
１２５、１２５Ａ  ヒンジ
１３０、１３０Ａ  ラッチ
１３５  ばね付勢式雄型フィンガ
１４０  雌型陥凹
１４５  ボタン
１４６  ハウジング
１４７  ばね
１４８  ハウジング
１４９  凹部材
１５０  雄型突起
１６０  扉吊り
１６５  固定雄型フィンガ
１７０  逆Ｌ字形状の雌型陥凹
１７５  ブラケット
１８０  横スロット
１８５  縦スロット
１９０  枢軸
１９５  ラッチ本体
２００  スロット
２０５  半円形開口部
２１０  円形開口部
２１５  縁
【図１】
0006423882.tif 000002
【図２】
0006423882.tif 000003
【図３】
0006423882.tif 000004
【図４】
0006423882.tif 000005
【図５】
0006423882.tif 000006
【図６】
0006423882.tif 000007
【図７】
0006423882.tif 000008
【図８】
0006423882.tif 000009
【図９】
0006423882.tif 000010
【図１０】
0006423882.tif 000011
【図１１】
0006423882.tif 000012
【図１２】
0006423882.tif 000013
【図１３】
0006423882.tif 000014
【図１４】
0006423882.tif 000015
【図１５】
0006423882.tif 000016
【図１６】
0006423882.tif 000017
【図１７】
0006423882.tif 000018
【図１８】
0006423882.tif 000019
【図１９】
0006423882.tif 000020
【図２０】
0006423882.tif 000021
【図２１】
0006423882.tif 000022
【図２２】
0006423882.tif 000023
【図２３】
0006423882.tif 000024
【図２４】
0006423882.tif 000025
【図２５】
0006423882.tif 000026